(57)【要約】【課題】外光を遮断した状態で蓄光式避難誘導標識１の発光輝度を時間差無しで測定でき、短時間の測定で所定時間経過後の発光輝度を類推演算可能な方法及び装置を提供する。【解決手段】ＣＣＤカメラ３０により、蓄光式避難誘導標識の発光輝度を時間差無しで測定し、該発光輝度の平均値を算出して記憶する処理を、複数回行う。該複数回測定された各回の発光輝度の平均値と、前記蓄光式避難誘導標識と同等の試料について予め求められている発光輝度の減衰特性とに基づいて、ＣＰＵ及び制御回路６０により、所定時間経過後における発光輝度を類推演算し、表示部７０により、該類推演算の結果を表示する。【選択図】図１
2007183233.tif 000002
【特許請求の範囲】
【請求項１】
蓄光材料を含む平面領域のうちの一定面積である被測定対象を覆って外光を遮断した状態で、エリアイメージセンサにより該被測定対象の発光輝度を時間差無しで測定する測定ステップと、
該測定ステップにより前記被測定対象について複数回測定された各回の発光輝度と、前記被測定対象と同等の試料について予め求められている発光輝度の減衰特性とに基づいて、前記測定ステップによる最後の測定を行ってから所定時間経過後における前記被測定対象の発光輝度を類推演算する類推演算処理を行う類推演算ステップと、
該類推演算ステップによる処理結果を出力する出力ステップと、
を実行することを特徴とする発光輝度類推演算方法。
【請求項２】
蓄光材料を含む平面領域のうちの一定面積である被測定対象を覆って外光を遮断した状態で、複数個のフォトダイオード又はフォトトランジスタにより該被測定対象の複数箇所の発光輝度を時間差無しで測定する測定ステップと、
該測定ステップにより前記被測定対象について複数回測定された各回の発光輝度と、前記被測定対象と同等の試料について予め求められている発光輝度の減衰特性とに基づいて、前記測定ステップによる最後の測定を行ってから所定時間経過後における前記被測定対象の発光輝度を類推演算する類推演算処理を行う類推演算ステップと、
該類推演算ステップによる処理結果を出力する出力ステップと、
を実行することを特徴とする発光輝度類推演算方法。
【請求項３】
請求項１又は２に記載した発光輝度類推演算方法であって、
前記被測定対象は、前記蓄光材料を含む発光領域と、所定のシンボルを示し前記蓄光材料を含まない非発光領域とを有し、壁面，床面，又は天井面に設置されている蓄光式避難誘導標識であり、
前記類推演算ステップは、前記測定ステップにより前記蓄光式避難誘導標識について複数回測定された各回の発光輝度のうちの前記発光領域についての発光輝度と、前記減衰特性とに基づいて、前記類推演算処理を行うことを特徴とする発光輝度類推演算方法。
【請求項４】
蓄光材料を含む平面領域のうちの一定面積である被測定対象を覆って外光を遮断するためのフードと、
該フードの内部に設けられ、前記外光を遮断した状態における前記被測定対象の発光輝度を時間差無しで測定可能なエリアイメージセンサを備える測定手段と、
該測定手段により前記被測定対象について複数回測定された各回の発光輝度と、前記被測定対象と同等の試料について予め求められている発光輝度の減衰特性とに基づいて、前記測定手段による最後の測定を行ってから所定時間経過後における前記被測定対象の発光輝度を類推演算する類推演算処理を行う類推演算手段と、
該類推演算手段による処理結果を出力する出力手段と、
を備えることを特徴とする発光輝度類推演算装置。
【請求項５】
蓄光材料を含む平面領域のうちの一定面積である被測定対象を覆って外光を遮断した状態における該被測定対象の複数箇所の発光輝度を時間差無しで測定可能な複数個のフォトダイオード又はフォトトランジスタを備える測定手段と、
該測定手段により前記被測定対象について複数回測定された各回の発光輝度と、前記被測定対象と同等の試料について予め求められている発光輝度の減衰特性とに基づいて、前記測定手段による最後の測定を行ってから所定時間経過後における前記被測定対象の発光輝度を類推演算する類推演算処理を行う類推演算手段と、
該類推演算手段による処理結果を出力する出力手段と、
を備えることを特徴とする発光輝度類推演算装置。
【請求項６】
請求項４又は５に記載した発光輝度類推演算装置であって、
前記被測定対象は、前記蓄光材料を含む発光領域と、所定のシンボルを示し前記蓄光材料を含まない非発光領域とを有し、壁面，床面，又は天井面に設置されている蓄光式避難誘導標識であり、
前記類推演算手段は、前記測定手段により前記蓄光式避難誘導標識について複数回測定された各回の発光輝度のうちの前記発光領域についての発光輝度と、前記減衰特性とに基づいて、前記類推演算処理を行うことを特徴とする発光輝度類推演算装置。
【発明の詳細な説明】
【技術分野】
【０００１】
本発明は、蓄光材料を含む平面領域のうちの一定面積である被測定対象の、外光が遮断されてから所定時間経過後における発光輝度（りん光輝度又は残光輝度とも言う。）を類推演算する方法及び装置に関する。
【背景技術】
【０００２】
従来より、ビルの地下や地下鉄の駅構内においては、火災や地震等の災害発生時にこれらの空間に居る人々を避難口まで誘導するために、電灯式避難誘導標識が設けられており、近年では、非常用電源設備が使用できなくなった場合においても避難口まで誘導可能なように、蓄光式避難誘導標識１が設けられることが多くなっている。
【０００３】
この蓄光式避難誘導標識１は、図２に示すように、蓄光材料を含む発光領域１ａと、少なくとも所定のシンボルを示し蓄光材料を含まない非発光領域１ｂとを有し、壁面，床面，又は天井面に設置されているものである。この蓄光式避難誘導標識１は、蓄光材料が外光を蓄積しておき、外光が遮断されると蓄光材料が蓄積していた光で発光領域１ａが自発光する一方で、非発光領域１ｂが発光しないことにより、両者の対比でシンボルが明示されるものである。ここでシンボルとしては、避難口を表すシンボルの他に、避難方向を示す矢印や、避難口を示す文字である「非常口」「ＥＸＩＴ」等が示され、また図示しないが、階段に設置される場合には階段を表すシンボルが示される。
【０００４】
ここで蓄光材料は、図３に示すように、時間の経過と共に発光輝度（ｍｃｄ／ｍ２＝ミリカンデラ／平方メートル）が減衰する減衰特性を持つが、前記蓄光式避難誘導標識１が有効に機能するためには、所定時間（例えば２０分，４０分，１時間等）経過後においても所定の発光輝度を保持している必要がある。また蓄光材料は、図示しないが、経年により蓄光能力が減衰するので、前記蓄光式避難誘導標識１が有効に機能するためには、所定期間毎（例えば半年毎，１年毎等）に発光輝度を測定をして、前記所定時間経過後においても所定の発光輝度を保持しているか否かを確認・検査する必要がある。
【０００５】
ここで一般に、被測定対象の輝度の測定には、例えば非特許文献１に示すようなスポット輝度計が用いられる。このスポット輝度計は、通常の照明下において、ある一点の輝度を測定可能なものである。
【０００６】
【非特許文献１】コニカミノルタホールディングス株式会社、“輝度計  LS-100/LS-110”、［online］、［平成１７年１１月２８日検索］、インターネット＜http://konicaminolta.jp/products/industrial/instrument/light/ls100/＞
【発明の開示】
【発明が解決しようとする課題】
【０００７】
しかしながら、前記蓄光式避難誘導標識１の発光輝度を測定するためには、外光を遮断しなければならないところ、該蓄光式避難誘導標識１は、不特定多数の人が集まる前記空間における壁面，床面，又は天井面に設置されているため、前記所定時間中に連続して照明を切ることは困難であるという問題があった。
【０００８】
また前記スポット輝度計は、ある一点の輝度を測定するものであるため、蓄光式避難誘導標識１の如く光源が面状の場合には、少なくとも数点を測定しなければならないが、蓄光材料の発光輝度は前記図３に示す如く時間の経過と共に減衰するため、一台のスポット輝度計で数点を測定すると、測定箇所により経過時間が異なるため、測定の信頼性が薄れるという問題があり、また数点を時間差無しで測定するには、複数台のスポット輝度計が必要になるため、コストが高くなるという問題があった。
【０００９】
さらに前記蓄光式避難誘導標識１については、前記所定時間経過後の発光輝度を測定して確認・検査をしなければならないが、１つの蓄光式避難誘導標識１について数十分〜１時間の測定を行わなければならないのは実用的でないという問題があった。
【００１０】
本発明は、このような背景のもとになされたものであり、その目的は、外光を遮断した状態で被測定対象の発光輝度を時間差無しで測定でき、短時間の測定で所定時間経過後の発光輝度を類推演算可能な方法及び装置を提供することにある。
【課題を解決するための手段】
【００１１】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【００１２】
まず請求項１に係る発明は、蓄光材料を含む平面領域のうちの一定面積である被測定対象（蓄光式避難誘導標識１）を覆って外光を遮断した状態で、エリアイメージセンサ（ＣＣＤイメージセンサ）により該被測定対象の発光輝度を時間差無しで測定する測定ステップ（Ｓ１）と、該測定ステップにより前記被測定対象について複数回測定された各回の発光輝度と、前記被測定対象と同等の試料について予め求められている発光輝度の減衰特性（図３）とに基づいて、前記測定ステップによる最後の測定を行ってから所定時間経過後における前記被測定対象の発光輝度を類推演算する類推演算処理を行う類推演算ステップ（Ｓ２）と、該類推演算ステップによる処理結果を出力する出力ステップ（Ｓ３）と、を実行することを特徴とする発光輝度類推演算方法である。
【００１３】
また請求項２に係る発明は、蓄光材料を含む平面領域のうちの一定面積である被測定対象（蓄光式避難誘導標識１）を覆って外光を遮断した状態で、複数個のフォトダイオード（３０’）又はフォトトランジスタにより該被測定対象の複数箇所の発光輝度を時間差無しで測定する測定ステップ（Ｓ１）と、該測定ステップにより前記被測定対象について複数回測定された各回の発光輝度と、前記被測定対象と同等の試料について予め求められている発光輝度の減衰特性（図３）とに基づいて、前記測定ステップによる最後の測定を行ってから所定時間経過後における前記被測定対象の発光輝度を類推演算する類推演算処理を行う類推演算ステップ（Ｓ２）と、該類推演算ステップによる処理結果を出力する出力ステップ（Ｓ３）と、を実行することを特徴とする発光輝度類推演算方法である。
【００１４】
また請求項３に係る発明は、請求項１又は２に記載した発光輝度類推演算方法であって、前記被測定対象は、前記蓄光材料を含む発光領域（１ａ）と、所定のシンボルを示し前記蓄光材料を含まない非発光領域（１ｂ）とを有し、壁面，床面，又は天井面に設置されている蓄光式避難誘導標識（１）であり、前記類推演算ステップ（Ｓ２）は、前記測定ステップにより前記蓄光式避難誘導標識について複数回測定された各回の発光輝度のうちの前記発光領域についての発光輝度と、前記減衰特性（図３）とに基づいて、前記類推演算処理を行うことを特徴とする発光輝度類推演算方法である。
【００１５】
また請求項４に係る発明は、蓄光材料を含む平面領域のうちの一定面積である被測定対象（蓄光式避難誘導標識１）を覆って外光を遮断するためのフード（２０）と、該フードの内部に設けられ、前記外光を遮断した状態における前記被測定対象の発光輝度を時間差無しで測定可能なエリアイメージセンサ（ＣＣＤイメージセンサ）を備える測定手段（ＣＣＤカメラ３０）と、該測定手段により前記被測定対象について複数回測定された各回の発光輝度と、前記被測定対象と同等の試料について予め求められている発光輝度の減衰特性（図３）とに基づいて、前記測定手段による最後の測定を行ってから所定時間経過後における前記被測定対象の発光輝度を類推演算する類推演算処理を行う類推演算手段（ＣＰＵ及び制御回路６０）と、該類推演算手段による処理結果を出力する出力手段（表示部７０）と、を備えることを特徴とする発光輝度類推演算装置（１０）である。
【００１６】
また請求項５に係る発明は、蓄光材料を含む平面領域のうちの一定面積である被測定対象（蓄光式避難誘導標識１）を覆って外光を遮断した状態における該被測定対象の複数箇所の発光輝度を時間差無しで測定可能な複数個のフォトダイオード（３０’）又はフォトトランジスタを備える測定手段（測定板２０’）と、該測定手段により前記被測定対象について複数回測定された各回の発光輝度と、前記被測定対象と同等の試料について予め求められている発光輝度の減衰特性（図３）とに基づいて、前記測定手段による最後の測定を行ってから所定時間経過後における前記被測定対象の発光輝度を類推演算する類推演算処理を行う類推演算手段（ＣＰＵ及び制御回路６０）と、該類推演算手段による処理結果を出力する出力手段（表示部７０）と、を備えることを特徴とする発光輝度類推演算装置（１０’）である。
【００１７】
さらに請求項６に係る発明は、請求項４又は５に記載した発光輝度類推演算装置（１０，１０’）であって、前記被測定対象は、前記蓄光材料を含む発光領域（１ａ）と、所定のシンボルを示し前記蓄光材料を含まない非発光領域（１ｂ）とを有し、壁面，床面，又は天井面に設置されている蓄光式避難誘導標識（１）であり、前記類推演算手段（ＣＰＵ及び制御回路６０）は、前記測定手段（ＣＣＤカメラ３０，測定板２０’）により前記蓄光式避難誘導標識について複数回測定された各回の発光輝度のうちの前記発光領域についての発光輝度と、前記減衰特性（図３）とに基づいて、前記類推演算処理を行うことを特徴とする発光輝度類推演算装置である。
【発明の効果】
【００１８】
まず請求項１に係る測定方法及び請求項４に係る測定装置によれば、被測定対象を覆って外光を遮断した状態で、エリアイメージセンサにより発光輝度を時間差無しで測定でき、複数回測定された各回の発光輝度と、予め求められている発光輝度の減衰特性とに基づいて、所定時間経過後における発光輝度が類推演算されるので、短時間の測定で所定時間経過後の発光輝度を類推演算可能である。
【００１９】
また請求項２に係る測定方法及び請求項５に係る測定装置によれば、被測定対象を覆って外光を遮断した状態で、複数個のフォトダイオード又はフォトトランジスタにより複数箇所の発光輝度を時間差無しで測定でき、複数回測定された各回の発光輝度と、予め求められている発光輝度の減衰特性とに基づいて、所定時間経過後における発光輝度が類推演算されるので、短時間の測定で所定時間経過後の発光輝度を類推演算可能である。
【００２０】
また請求項３に係る測定方法及び請求項６に係る測定装置によれば、被測定対象が蓄光式避難誘導標識である場合にも好適に適用可能である。
【発明を実施するための最良の形態】
【００２１】
以下、本発明に係る発光輝度類推演算装置１０，１０’及び発光輝度類推演算方法を、図面を参照して説明する。ここで本発明の被測定対象は、蓄光材料を含む平面領域のうちの一定面積であり、以下に示す例では、前記図２に示す蓄光式避難誘導標識１であって、図１に示すように床面２に埋め込まれて設置されているものである。そして、この蓄光式避難誘導標識１に含まれる蓄光材料の発光輝度は、前記図３に示す減衰特性を有し、該減衰特性は、蓄光材料の種類毎に複数種類ある。この減衰特性は、被測定対象である蓄光式避難誘導標識１と同等の試料について予め求められているものである。
【００２２】
なお本発明には、図１〜図５に示すように、エリアイメージセンサ（ここではＣＣＤイメージセンサ）により被測定対象の一定領域の発光輝度を時間差無しで測定する、第１実施形態に係る発光輝度類推演算装置１０及び発光輝度類推演算方法と、図６及び図７に示すように、フォトダイオード又はフォトトランジスタ（ここではフォトダイオード３０’）により被測定対象の複数箇所（複数の点）の発光輝度を時間差無しで測定する、第２実施形態に係る発光輝度類推演算装置１０’及び発光輝度類推演算方法とが含まれる。以下においては、まず第１実施形態について説明し、次に第２実施形態について第１実施形態と異なる点についてのみ説明し、最後に変形例について説明する。
【００２３】
［１．第１実施形態に係る発光輝度類推演算装置１０及び発光輝度類推演算方法］
まず図１を参照して、第１実施形態に係る発光輝度類推演算装置１０の構成について説明する。発光輝度類推演算装置１０は、フード２０，ＣＣＤカメラ３０，ＣＰＵ及び制御回路６０，並びに表示部７０を備えるものであり、ここではカメラ制御部４０，並びにＡ／Ｄ変換器５０をさらに備える。ここでフード２０以外の各構成要素は、ＣＤカメラ３０，カメラ制御部４０，並びにＡ／Ｄ変換器５０，ＣＰＵ及び制御回路６０，並びに表示部７０の順で直列に接続されている。以下、各構成要素について説明する。
【００２４】
フード２０は、蓄光式避難誘導標識１を覆って外光を遮断するためのものである。このフード２０は、縦断面視で、下底が開放された台形を呈し、蓄光式避難誘導標識１全体を覆い被せることができる大きさに構成されている。またフード２０は、全体が光を透過させない素材でできており、その内面には、蓄光式避難誘導標識１が自発光する光が反射してＣＣＤカメラ３０に入射しないように反射防止対策が施されており、蓄光式避難誘導標識１の設置面と接する部分には、光が入らないようにパッキンゴム２０ａが取り付けられている。
【００２５】
ＣＣＤカメラ３０は測定手段の一例であって、フード２０の内部に設けられ、外光を遮断した状態における蓄光式避難誘導標識１の発光輝度を時間差無しで測定可能なエリアイメージセンサを備えるものであり、ここでは該エリアイメージセンサとして数十万画素のＣＣＤセンサを備えると共に、レンズ３０ａ等の光学系を備える。このＣＣＤカメラ３０は、フード２０の内面における頂部から下垂して設けられており、カメラの視野角に蓄光式避難誘導標識１全体が入るように調整された広角のレンズ３０ａにより、該蓄光式避難誘導標識１の発光輝度を時間差無しで測定可能なように構成されている。
【００２６】
このＣＣＤカメラ３０は、カメラ制御部４０の制御により駆動されて、蓄光式避難誘導標識１を撮影する。そして撮影された映像の映像信号は、ＣＣＤカメラ３０からカメラ制御部４０を介して出力され、Ａ／Ｄ変換器５０によりアナログ信号からデジタル信号に変換されて、ＣＰＵ及び制御回路６０に入力される。
【００２７】
ＣＰＵ及び制御回路６０は類推演算手段の一例であって、ＣＣＤカメラ３０により蓄光式避難誘導標識１について複数回測定された各回の発光輝度と、該蓄光式避難誘導標識１と同等の試料について予め求められている発光輝度の減衰特性とに基づいて、ＣＣＤカメラ３０による最後の測定を行ってから所定時間経過後における蓄光式避難誘導標識１の発光輝度を類推演算する類推演算処理を行うものであり、ここでは前記複数回測定された各回の発光輝度のうちの前記発光領域１ａについての発光輝度と減衰特性とに基づいて類推演算処理を行う。
【００２８】
具体的には、ＣＰＵ及び制御回路６０は、図３に示す発光輝度の減衰特性を、多次元方程式として、蓄光式避難誘導標識１に含まれる蓄光材料の種類毎に複数記憶している。またＣＰＵ及び制御回路６０は、予め設定された測定時刻（ここではＳＴＡＲＴから１分後，２分後，３分後，４分後，及び５分後）になると、カメラ制御部４０に対して撮影指示を行い、該撮影指示に応じてＣＣＤカメラ３０により撮影された映像の映像信号がＡ／Ｄ変換器５０から入力されると、発光輝度が所定値（例えば１０ｍｃｄ／ｍ２）以下のポイント（即ち非発光領域１ｂ）をキャンセルし、発光輝度が所定値を超えるポイント（即ち発光領域１ａ）についての発光輝度の平均値を算出して記憶する。
【００２９】
次にＣＰＵ及び制御回路６０は、設定回数（ここでは５回）の測定が終了すると、前記記憶している各回の発光輝度の平均値と減衰特性の多次元方程式とに基づいて、予め設定された所定時間（ここではＳＴＡＲＴから２０分，４０分，１時間等）経過後の発光輝度を類推演算する。ここで所定時間は、最後の測定（ここではＳＴＡＲＴから５分後）からの経過時間としても良く、ＳＴＡＲＴからの経過時間としても良い。そしてＣＰＵ及び制御回路６０は、該類推演算の結果を、ディスプレイである表示部７０に出力する。ここで表示部７０は出力手段の一例であって、類推演算手段による処理結果を出力するものである。
【００３０】
なおＣＰＵ及び制御回路６０は、通常の面輝度計として使用されることも考慮して、発光輝度の標準偏差も測定可能である。
【００３１】
次に図４及び図５を参照して、第１実施形態に係る発光輝度類推演算装置１０の作用、即ち発光輝度類推演算方法について説明する。まず事前準備として、ＣＰＵ及び制御回路６０において、図３に示す発光輝度の減衰特性を多次元方程式として記憶しておくと共に、測定回数（ここでは５回）及び測定時刻（ここではＳＴＡＲＴから１分後，２分後，３分後，４分後，及び５分後）を設定し、かつ発光輝度を類推演算する所定時間（ここではＳＴＡＲＴから２０分，４０分，１時間）を設定しておく。
【００３２】
次に床面２に設置されている蓄光式避難誘導標識１を覆うようにフード２０をセットして、発光輝度類推演算装置１０を起動すると、ＣＰＵ及び制御回路６０に接続された温度センサにより温度が測定されて、該測定された温度が所定温度であるとＣＰＵ及び制御回路６０により判断された場合に、図４のＳ１に示すように、ＣＰＵ及び制御回路６０の制御により、蓄光式避難誘導標識１を覆って外光を遮断した状態で該蓄光式避難誘導標識１の発光輝度を時間差無しで測定する測定ステップが行われる。ここで所定温度であることが要求されるのは、温度によって蓄光材料の発光輝度の減衰特性が変化するからである。
【００３３】
この測定ステップでは、図５に示すように、起動から計時が開始されたタイマ値が前記設定した測定時刻になったか否かを判定する（Ｓ１１）。このＳ１１で測定時刻になったと判定されると（ＹＥＳ）、カメラ制御部４０に対して撮影指示を行い（Ｓ１２）、該撮影指示に応じてＣＣＤカメラ３０により撮影された映像の映像信号がＡ／Ｄ変換器５０から入力されるのを待機する（Ｓ１３）。このＳ１３で映像信号が受信されると（ＹＥＳ）、ＣＣＤセンサが飽和しないシャッター速度を選定して（Ｓ１４）、カメラ制御部４０に対して該選定されたシャッター速度での撮影指示を行い（Ｓ１５）、該撮影指示に応じてＣＣＤカメラ３０により撮影された映像の映像信号がＡ／Ｄ変換器５０から入力されるのを待機する（Ｓ１６）。ここでＳ１２〜Ｓ１４の処理を行うのは、ＣＣＤセンサの測定ダイナミックレンジを大きくするためであり、ＣＣＤセンサに入射する光が少なくてＣＣＤカメラ３０から出力される映像信号が小さい場合には、遅いシャッター速度を選定して多くの光を入射させる。これにより、シャッター速度をダイナミックに変化させ、全体のダイナミックレンジを大きくさせることができる。
【００３４】
前記Ｓ１６で映像信号が受信されると（ＹＥＳ）、発光輝度が所定値（例えば１０ｍｃｄ／ｍ２）以下のポイント（即ち非発光領域１ｂ）をキャンセルし（Ｓ１７）、シェーディング補正を行う（Ｓ１８）。ここでシェーディング補正を行うのは、発光輝度類推演算装置１０全体を小さくするために、蓄光式避難誘導標識１からＣＣＤカメラ３０のＣＣＤセンサ面までの距離を数十ｃｍとし、レンズの焦点距離を小さくしている関係で、ＣＣＤカメラ３０により撮影された映像の外周でシェーディング現象を起こすからである。即ちＣＰＵ及び制御回路６０は、このシェーディングをソフトで補正できる機能を備えている。
【００３５】
次に発光輝度が所定値を超えるポイント（即ち発光領域１ａ）についての発光輝度の平均値を算出して記憶する（Ｓ１９）。これにより、被測定対象が蓄光式避難誘導標識１である場合にも好適に適用可能である。そして前記設定された設定回数の測定が終了したか否かを判定し（Ｓ２０）、終了していないと判定された場合には（ＮＯ）、前記Ｓ１１に戻り、終了したと判定された場合には（ＹＥＳ）、測定ステップを終了して、類推演算ステップに進む。
【００３６】
図４のＳ２に示す類推演算ステップでは、ＣＰＵ及び制御回路６０により、前述した類推演算処理を行い、具体的には、前記記憶している各回の発光輝度の平均値と減衰特性の多次元方程式とに基づいて、予め設定された所定時間経過後の発光輝度を類推演算する。そして図４のＳ３に示す出力ステップでは、ＣＰＵ及び制御回路６０により、該類推演算ステップによる処理結果を表示部７０に出力する。
【００３７】
以上に説明した発光輝度類推演算装置１０及び発光輝度類推演算方法によれば、蓄光式避難誘導標識１を覆って外光を遮断した状態で、エリアイメージセンサにより発光輝度を時間差無しで測定でき、複数回測定された各回の発光輝度と、予め求められている発光輝度の減衰特性とに基づいて、所定時間経過後における発光輝度が類推演算されるので、短時間の測定で所定時間経過後の発光輝度を類推演算可能である。この類推演算結果に基づいて、所定時間経過後の発光輝度が基準値（例えばＳＴＡＲＴから２０分後の発光輝度が２４ｍｃｄ／ｍ２以上）を満たしているか否かを判断でき、該基準値を満たしていない場合には、当該蓄光式避難誘導標識１を取り替えることが必要となる。
【００３８】
［２．第２実施形態に係る発光輝度類推演算装置１０’及び発光輝度類推演算方法］
次に図６を参照して、第２実施形態に係る発光輝度類推演算装置１０’の構成について説明する。この第２実施形態に係る発光輝度類推演算装置１０’は、第１実施形態に係る発光輝度類推演算装置１０と比較して、フード２０，ＣＣＤカメラ３０，及びカメラ制御部４０に代えて、パッキンゴム２０ａ’及びフォトダイオード３０’を有する測定板２０’を備える点のみが異なり、その他の点は同様である。
【００３９】
測定板２０’は測定手段の一例であって、蓄光式避難誘導標識１を覆って外光を遮断した状態における該蓄光式避難誘導標識１の発光輝度を時間差無しで測定可能な複数個のフォトダイオード３０’を備えるものである。この測定板２０’は、蓄光式避難誘導標識１よりも一回り大きい長方形の板状体であり、その底面に該測定板２０’の周囲を取り囲むパッキンゴム２０ａ’を備える。このパッキンゴム２０ａ’は、蓄光式避難誘導標識１を覆って外光を遮断するためのものであり、フォトダイオード３０’と蓄光式避難誘導標識１との距離が数ｃｍ（例えば１ｃｍ）に近接した距離になるような高さに構成されている。
【００４０】
フォトダイオード３０’は光センサの一例であって、蓄光式避難誘導標識１の発光輝度を測定するものであり、ここでは該蓄光式避難誘導標識１の複数箇所（複数の点）の発光輝度を時間差無しで測定するために、図６（ｂ）に示すように、パッキンゴム２０ａ’に取り囲まれた測定板２０’の底面に、複数個が等間隔に配列されて埋設されている。このフォトダイオード３０’を設ける数は任意であり、例えば蓄光式避難誘導標識１の大きさが２５０ｍｍ×１５０ｍｍであれば、該フォトダイオード３０’を２０ｍｍピッチで配列する場合には１４×９＝１２６個設けることになり、３０ｍｍピッチで配列する場合には１０×６＝６０個設けることになり、４０ｍｍピッチで配列する場合には８×５＝４０個設けることになる。なおフォトダイオード３０’の種類は特に限定されず、ｐｎ型，ｐｉｎ型，ショットキ型，及びアバランシュ型のいずれであっても良い。
【００４１】
このフォトダイオード３０’は、蓄光式避難誘導標識１に対して所定距離に近接した状態で、ＣＰＵ及び制御回路６０の制御により、蓄光式避難誘導標識１の発光輝度を測定する。そして測定された発光輝度を示す測定信号は、フォトダイオード３０’から出力され、Ａ／Ｄ変換器５０によりアナログ信号からデジタル信号に変換されて、ＣＰＵ及び制御回路６０に入力される。
【００４２】
次に図４及び図７を参照して、第２実施形態に係る発光輝度類推演算装置１０’の作用、即ち発光輝度類推演算方法について説明する。まず事前準備として、第１実施形態と同様に、ＣＰＵ及び制御回路６０において、図３に示す発光輝度の減衰特性を多次元方程式として記憶しておくと共に、測定回数（ここでは５回）及び測定時刻（ここではＳＴＡＲＴから１分後，２分後，３分後，４分後，及び５分後）を設定し、かつ発光輝度を類推演算する所定時間（ここではＳＴＡＲＴから２０分，４０分，１時間）を設定しておく。
【００４３】
次に床面２に設置されている蓄光式避難誘導標識１を覆うように測定板２０’をセットして、発光輝度類推演算装置１０’を起動すると、ＣＰＵ及び制御回路６０に接続された温度センサにより温度が測定されて、該測定された温度がＣＰＵ及び制御回路６０により所定温度であると判断されると共に、ＣＰＵ及び制御回路６０に接続された接地センサによりフォトダイオード３０’と蓄光式避難誘導標識１との距離が測定されて、該測定された距離が所定距離であるとＣＰＵ及び制御回路６０により判断された場合に、図４のＳ１に示すように、ＣＰＵ及び制御回路６０の制御により、蓄光式避難誘導標識１を覆って外光を遮断した状態で該蓄光式避難誘導標識１の発光輝度を時間差無しで測定する測定ステップが行われる。ここで所定温度であることが要求されるのは、温度によって蓄光材料の発光輝度の減衰特性が変化するからであり、所定距離であることが要求されるのは、床面２に対する測定板２０’の押し付け程度によってフォトダイオード３０’と蓄光式避難誘導標識１との距離が変化すると発光輝度の測定値も変化するからである。
【００４４】
この測定ステップでは、図７に示すように、前記Ｓ１１で測定時刻になったと判定されると（ＹＥＳ）、すべてのフォトダイオード３０’に対して測定指示が行われ（Ｓ１２’）、該測定指示に応じてすべてのフォトダイオード３０’により測定された測定信号がＡ／Ｄ変換器５０から入力されるのを待機し（Ｓ１６’）、該信号が受信されると（ＹＥＳ）、前記Ｓ１７，Ｓ１９，及びＳ２０の処理を行って、測定ステップを終了する。そして第１実施形態と同様に、図４のＳ２に示す類推演算ステップ，及びＳ３に示す出力ステップを行う。
【００４５】
以上に説明した発光輝度類推演算装置１０’及び発光輝度類推演算方法によれば、蓄光式避難誘導標識１を覆って外光を遮断した状態で、フォトダイオード３０’により複数箇所の発光輝度を時間差無しで測定でき、複数回測定された各回の発光輝度と、予め求められている発光輝度の減衰特性とに基づいて、所定時間経過後における発光輝度が類推演算されるので、短時間の測定で所定時間経過後の発光輝度を類推演算可能である。この類推演算結果に基づいて、所定時間経過後の発光輝度が基準値（例えばＳＴＡＲＴから２０分後の発光輝度が２４ｍｃｄ／ｍ２以上）を満たしているか否かを判断でき、該基準値を満たしていない場合には、当該蓄光式避難誘導標識１を取り替えることが必要となる。しかも第１実施形態で用いたエリアイメージセンサよりも安価なフォトダイオード３０’を用いているので、発光輝度類推演算装置１０’を安価に構成することができると共に、蓄光式避難誘導標識１に近接して発光輝度を測定するフォトダイオード３０’を用いているので、発光輝度類推演算装置１０’の高さを低く構成することができる。
【００４６】
［３．変形例］
最後に、本発明の変形例について説明する。
【００４７】
上記の実施形態では、図１及び図６に示すように、被測定対象が蓄光式避難誘導標識１である例について説明したが、本発明に係る発光輝度類推演算装置１０及び発光輝度類推演算方法は、蓄光式避難誘導標識１以外にも適用可能である。即ち蓄光材料を含む平面領域のうちの一定面積が被測定対象であれば良い。
【００４８】
上記の実施形態では、図１及び図６に示すように、蓄光式避難誘導標識１が床面２に埋め込まれて設置されている例について説明したが、これに限らず、本発明に係る発光輝度類推演算装置１０，１０’及び発光輝度類推演算方法は、蓄光式避難誘導標識１が壁面又は天井面に埋め込まれて設置されている場合にも適用可能である。また蓄光式避難誘導標識１が埋め込まれて設置されているものには限られず、貼り付けられて（突出して）設置されている場合にも適用可能である。
【００４９】
上記の実施形態では、図１及び図６に示すように、出力手段が表示部７０（ディスプレイ）であり、図４のＳ３に示すように、出力ステップが該ディスプレイへの出力である例について説明したが、これに限らず、出力手段がプリンタで、出力ステップが該プリンタへの出力でも良く、また出力手段が外部記憶装置（例えばＤＶＤドライブ）で、出力ステップが該外部記憶装置への出力でも良い。即ち出力手段は、類推演算手段による処理結果を出力するものであり、出力ステップは、類推演算ステップによる処理結果を出力する工程であれば良い。
【００５０】
上記の実施形態では、図２に示すように、蓄光式避難誘導標識１において、非発光領域１ｂがシンボルを示す例について説明したが、これとは逆に、発光領域１ａがシンボルを示すものであっても良い。
【００５１】
上記の実施形態では、図２に示すように、蓄光式避難誘導標識１が、一定面積で完結しているものである例について説明したが、これに限らず、該蓄光式避難誘導標識１は、例えばテープ状に連続しているものであっても良い。
【００５２】
上記の第１実施形態では、エリアイメージセンサがＣＣＤセンサである例について説明したが、これに限らず、該エリアイメージセンサは、例えばＣＭＯＳ（相補正金属酸化膜半導体）センサ等であっても良い。即ちエリアイメージセンサは、被測定対象の発光輝度を時間差無しで測定可能なものであれば良い。
【００５３】
上記の第２実施形態では、測定手段（測定板２０’）がフォトダイオード３０’を備える例について説明したが、該フォトダイオード３０’に代えて、フォトトランジスタを備えるようにしても良く、またこれらフォトダイオード３０’やフォトトランジスタ以外の光起電力素子（例えばフォトＩＣ等）や、光電導素子（例えばＣｄＳセル，ＣｄＳｅセル，ＰｂＳセル等）を用いる光センサとしても良い。
【００５４】
上記の実施形態では、図５のＳ１８及び図７のＳ１８’に示すように、発光輝度が所定値以下のポイントをキャンセルする（換言すれば事後的に非発光領域１ｂをキャンセルする）例について説明したが、これに限らず、非発光領域１ｂについては発光輝度を測定しない（換言すれば事前に非発光領域１ｂをキャンセルする）ようにしても良く、これによれば、複数の被測定対象（蓄光式避難誘導標識１）が同一であり、該被測定対象に対して発光輝度類推演算装置１０，１０’を正確にセットできる場合には有効である。即ち非発光領域１ｂのキャンセルを事前に行うか事後的に行うかを問わず、発光領域１ａについての発光輝度に基づいて類推演算処理が行われれば良い。
【００５５】
上記の第２実施形態では、図６（ｂ）に示すように、測定板２０’の底面に埋設されるフォトダイオード３０’が、等間隔に配列されている例について説明したが、これに限らず、該フォトダイオード３０’は等間隔に配列されていなくても良く、例えば複数の被測定対象（蓄光式避難誘導標識１）が同一である場合には、該蓄光式避難誘導標識１の発光領域１ａに対応して設けられるようにしても良く、これによれば、図７に示す測定ステップにおいてＳ１８の処理を行う必要が無くなる。またフォトダイオード３０’は、測定板２０’の底面と面一（ツライチ）に埋設されていなくても良く、該測定板２０’の底面から一部又は全部が突出するように設けられていても良い。
【００５６】
上記の実施形態では、図５のＳ１９及び図７のＳ１９’に示すように、発光領域１ｂについて測定された発光輝度の平均値を算出し、該平均値に基づいて類推演算処理が行われる例について説明したが、これに限らず、発光領域１ｂについて測定された発光輝度の最大値を選定し、該最大値と、予め求められている発光輝度の最大値の減衰特性とに基づいて、類推演算処理が行われるようにしても良く、また発光領域１ｂについて測定された発光輝度の総和値（合計値）を算出し、該総和値と、予め求められている発光輝度の総和値の減衰特性とに基づいて、類推演算処理が行われるようにしても良い。
【００５７】
上記の実施形態では、測定手段（ＣＣＤカメラ３０，測定板２０’）による測定回数が５回であり、測定時刻が１分後，２分後，３分後，４分後，及び５分後である例について説明したが、これに限らず、該測定回数は２回以上の複数回であれば良く、測定時刻は実用的な範囲で（あまり長くなりすぎないように）適宜設定すれば良い。
【００５８】
上記の実施形態では、図５及び図７に示すように、予め定められた設定回数の測定が、ＣＰＵ及び制御回路６０の制御により自動的に行われる例について説明したが、これに限らず、該測定はオペレータの指示に基づいて行われるようにしても良い。
【図面の簡単な説明】
【００５９】
【図１】図１は第１実施形態に係る発光輝度類推演算装置の一例を表すブロック図である。
【図２】図２は蓄光式避難誘導標識の一例を表す平面図である。
【図３】図３は試料の減衰特性の一例を表す図である。
【図４】図４は本発明に係る発光輝度類推演算方法の一例を表すフローチャートである。
【図５】図５は第１実施形態に係る測定ステップのサブルーチンの一例を表すフローチャートである。
【図６】図６（ａ）は第２実施形態に係る発光輝度類推演算装置の一例を表すブロック図であり、図６（ｂ）は測定板の一例を表す底面図である。
【図７】図７は第２実施形態に係る測定ステップのサブルーチンの一例を表すフローチャートである。
【符号の説明】
【００６０】
［第１実施形態］
１…蓄光式避難誘導標識
１ａ…発光領域
１ｂ…非発光領域
２…床面
１０…発光輝度類推演算装置
２０…フード
２０ａ…パッキンゴム
３０…ＣＣＤカメラ
３０ａ…レンズ
４０…カメラ制御部
５０…Ａ／Ｄ変換器
６０…ＣＰＵ及び制御回路
７０…表示部
［第２実施形態］
１０’…発光輝度類推演算装置
２０’…測定板
２０ａ’…パッキンゴム
３０’…フォトダイオード
【図１】
2007183233.tif 000003
【図２】
2007183233.tif 000004
【図３】
2007183233.tif 000005
【図４】
2007183233.tif 000006
【図５】
2007183233.tif 000007
【図６】
2007183233.tif 000008
【図７】
2007183233.tif 000009